(57)【要約】【課題】  フェンダーの支持剛性を高めてその曲がりなどを防止できる電動四輪車の車体構造を提供する。【解決手段】  フロントフェンダー２０の裏面部には、そのフロントフェンダー２０への荷重を支持するフェンダー支持フレーム３８が配設されている。該支持フレーム３８は、フロントフレーム３２とメインフレーム３４とに溶接固定される。その支持フレーム３８の前端部３８ａ１がフロントフレーム３２の側面部に溶接固定されて前部３８ａが上方に延びかつ前記フェンダー２０と接する位置からフロントフェンダー２０の下面部に沿って後方に延びる。さらに中央部３８ｂで左右方向外側に向けて曲がって前記フェンダー２０の外側端部に至り、後部３８ｃはその外側端部付近からやや内側に向けて曲がって、後端部３８ｃ１がメインフレーム３４の肩部３４ａに溶接固定される。【選択図】  図３
2005088892.tif 000002
【特許請求の範囲】
【請求項１】
前輪および後輪がともに左右一対で、車体後部の後輪側車体には乗員が一人で着座する単座シートが設けられ、この単座シートの前端部と車体前部の前輪側車体との間の車体中央部に乗員が足を載せる平坦な足載せフロアを備えた電動四輪車において、
前記足載せフロアが設けられた車体中央部は、最も幅の狭い部分を、単座シートの前端部の幅と略一致する幅に形成するとともに、前記前方の前輪側車体の最大幅よりも狭く形成し、
前記前輪側車体の左右側部には、左右一対の前輪と、これら前輪をそれぞれ覆うフロントフェンダーが配設され、
これらフロントフェンダーは、前記足載せフロアよりも上方に突出して、足載せフロアと一体的に連なるように形成し、後部の表面部に足乗せ部を設けるとともにフェンダー支持フレームで支持され、
前記フェンダー支持フレームは、前端部を左右前輪の間に配設されたフロントフレームに溶接固定し、フロントフェンダーの前後方向中央部から左右方向外側のフロントフェンダー後外側端部に向けて曲がり、後端部を前記足載せフロア下面部に車体幅方向に沿って設けられたメインフレームに溶接固定され、前記フロントフェンダーとともに表面部に設けられた足乗せ部を支持することを特徴とする電動四輪車の車体構造。
【請求項２】
前記フェンダー支持フレームは、前記車体中央部に設けられた足載せフロアよりも車体幅方向に広く形成された前輪側車体のフロントフェンダーの左右方向外側端部に至るように後外側に向けて延び、後部を前記フロントフェンダーの左右方向外側端部付近から左右方向内側に向けて曲げて平面視Ｌの字形状に形成し、後端部を前記足載せフロア下面部に車体幅方向に沿って設けられたメインフレームに溶接固定して設けたことを特徴とする請求項１に記載の電動四輪車の車体構造。
【請求項３】
前記フェンダー支持フレームは、側面視で全体に下開きのＣの字形状で、前上部にフロントサスペンションのクッションユニット支持部が形成されていることを特徴とする請求項１に記載の電動四輪車の車体構造。
【発明の詳細な説明】
【技術分野】
【０００１】
本発明は、ティラーハンドルタイプの車両構造の電動車椅子などの電動四輪車の車体構造に関する。
【背景技術】
【０００２】
足腰の弱った人が移動するときには電動車椅子が利用され、またゴルフ場内での人の移動にはゴルフキャリーが利用されており、一般にこれらの車両はバッテリーを電源とする電動車両である。この種の電動車両の例を図５（斜視図）および図６（平面図）に示す。
【０００３】
図５の車両は、前後輪ａ，ｂが二輪づつあり前二輪ａをティラーハンドルｃで操舵する構造になっていて、車体の後半部のシート（座席）ｄ下にはバッテリーｅが搭載される。このバッテリーｅを電源に後輪ｂは図示しないモータで駆動される。また、車体の前半部は、搭乗した乗員が足を乗せる平坦なフロアｇになっている。なお、前輪ａの上方を覆うフェンダーｈは前記フロアｇの前部に位置し、このフェンダーｈに乗員が一時、足を乗せる場合がある。
【０００４】
ここで、前記のような電動四輪車では、前輪ａと後輪ｂのトレッドが同じかそれに近いものが多い。したがって、図６に示す車両のように前輪ａと後輪ｂのトレッドｔ1，ｔ2がほぼ同じであって、車両側面のボディラインは直線的なものがあり、特にフロアｇの側縁部は直線になっていた。また、車両によっては平面視で台形のボディラインのものもあるが、これでもフロアｇの側縁部は直線に沿ったものになっている。
【発明の開示】
【発明が解決しようとする課題】
【０００５】
しかしながら、電動四輪車においてトレッドが狭い場合、フロアの幅も狭くなり、この種のものでは乗員の乗り降りに支承は生じないが、車両の安定性を増すためにトレッドの幅を広げるとフロアｇが広がるので、乗員が乗車・下車しようとする際にシートと足との距離が長くなる。したがって、足着き性が悪くなるので足に力を入れにくく乗員の乗り降りがしにくく不便になるという問題点が生じる。
【０００６】
また、前輪ａ上方のフェンダーｈは、乗員が足を乗せる場合があるので、剛性を高めてその曲がりなどの防止の要請がある。
【０００７】
本発明は、前記従来の問題点を解消するべくなされたものであって、フェンダーの支持剛性を高めてその曲がりなどを防止できる電動四輪車の車体構造を提供することを課題とする。
【課題を解決するための手段】
【０００８】
本発明は、前記課題を解決するため次の構成を有する。
【０００９】
請求項１の発明は、前輪および後輪がともに左右一対で、車体後部の後輪側車体には乗員が一人で着座する単座シートが設けられ、この単座シートの前端部と車体前部の前輪側車体との間の車体中央部に乗員が足を載せる平坦な足載せフロアを備えた電動四輪車において、前記足載せフロアが設けられた車体中央部は、最も幅の狭い部分を、単座シートの前端部の幅と略一致する幅に形成するとともに、前記前方の前輪側車体の最大幅よりも狭く形成し、前記前輪側車体の左右側部には、左右一対の前輪と、これら前輪をそれぞれ覆うフロントフェンダーが配設され、これらフロントフェンダーは、前記足載せフロアよりも上方に突出して、足載せフロアと一体的に連なるように形成し、後部の表面部に足乗せ部を設けるとともにフェンダー支持フレームで支持され、前記フェンダー支持フレームは、前端部を左右前輪の間に配設されたフロントフレームに溶接固定し、フロントフェンダーの前後方向中央部から左右方向外側のフロントフェンダー後外側端部に向けて曲がり、後端部を前記足載せフロア下面部に車体幅方向に沿って設けられたメインフレームに溶接固定され、前記フロントフェンダーとともに表面部に設けられた足乗せ部を支持することを特徴とする電動四輪車の車体構造である。
【００１０】
請求項２の発明は、前記フェンダー支持フレームが、前記車体中央部に設けられた足載せフロアよりも車体幅方向に広く形成された前輪側車体のフロントフェンダーの左右方向外側端部に至るように後外側に向けて延び、後部を前記フロントフェンダーの左右方向外側端部付近から左右方向内側に向けて曲げて平面視Ｌの字形状に形成し、後端部を前記足載せフロア下面部に車体幅方向に沿って設けられたメインフレームに溶接固定して設けたことを特徴とする請求項１に記載の電動四輪車の車体構造である。
【００１１】
請求項３の発明は、前記フェンダー支持フレームが、側面視で全体に下開きのＣの字形状で、前上部にフロントサスペンションのクッションユニット支持部が形成されていることを特徴とする請求項１に記載の電動四輪車の車体構造である。
【発明の効果】
【００１２】
本発明においては、前輪のフェンダー表面部に足乗せ部を設け、フェンダーの足乗せ部に対応する裏面部に荷重支持用のフレームを設けたので、フェンダーの支持剛性が上がる。
【００１３】
したがって、乗員が足を乗せて体重をかけてもフェンダーは剛性感よく支持するので、乗車している乗員は安心感を持ちかつ不意の荷重がフェンダーに加わっても変形などしなくなる。
【発明を実施するための最良の形態】
【００１４】
以下、図面を参照して本発明の実施の形態を詳細に説明する。
【００１５】
図１は本発明の一実施形態に係る電動四輪車の車体構造の全体説明図（前面部の籠は省略している）、図２は側面図、図３は平面図、図４は電動四輪車の他の実施形態の側面図である。
【００１６】
図１〜図３に示すように、実施の形態の電動四輪車は、前輪１０，１０および後輪１２，１２が共に二輪であって、車体は主に前部のフロントボディＡと後部のリアボディＢとからなる。リアボディＢには、乗員が一人で単座シート１４に着席して運転するものである。
【００１７】
また、電動四輪車の車体前部には、左右の前輪１０，１０のほぼ中央部の上方位置に前輪１０，１０操舵用のハンドル（ティラーハンドルタイプ）１６が設けられており、このハンドル１６の下方のフロントボディＡには、フロントレッグシールド１８が立設している。また、前記フロントボディＡの車体左右方向側部には、前記前輪１０，１０を覆って上方に突出するほぼ弧状にフロントフェンダー２０，２０がそれぞれ設けられており、前記フロントレッグシールド１８の下部は左右のフロントフェンダー２０，２０の間に位置する。フロントレッグシールド１８のフロントフェンダー２０，２０に隣接する下部左右には前方かつ内側に向けて抉り込み（１８ａ）が形成されていて、フロントフェンダー２０上部が広く解放されるようになっている。
【００１８】
フロントボディＡにおいてフロントレッグシールド１８の後面側から後方の車体中央部には足載せ部である平坦なフロア２２が形成されており、このフロア２２はフロントフェンダー２０，２０の間の位置に前方に向けて抉り込んで（符号２２ａで示す）広く形成されている。なお、フロア２２の側縁部はフロントフェンダー２０、２０から後方につらなって山脈上に上方に突出している部分２２ｂが形成されている。この突出部分２２ｂにより乗員はフロア２２上から足が外方にずれてしまうのを抑止できる。
【００１９】
リアボディＢはフロア２２から後方に位置して、全体がほぼ矩形であり、前部にバッテリーとモータ駆動部を収納するケース構造体２６になっている。ケース構造体２６の前部には着脱可能にバッテリー収納部のカバー体２６ａが設けられ、かつ、該構造体２６の後部の車体左右方向側部には、後輪１２，１２を覆うリアフェンダー２８が突出しかつ滑らかに連続して設けられる。前記ケース構造体２６上部には、乗員が腰を掛ける前記シート１４が固定あるいは回動可能に取り付けられている。
【００２０】
前記電動四輪車のフロントボディＡおよびリアボディＢ内には車体への応力を支持するフレームが設けられる。このフレームにおいては、図２、図３の破線に示すように、車体前部に幅狭のＵの字形状部のフロントフレーム３２が、また、中央部には幅広のＵの字形状のメインフレーム３４が設けられている。それらフレーム３２および３４は互いに溶接で固定される。さらに、メインフレーム３４の後部には後方に向けてリアフレーム３６が延びる。
【００２１】
フロントフレーム３２は、フロントボディＡ前部、前輪１０，１０、フロントステアリングなどを支持している。
【００２２】
そして、フロントフェンダー２０の裏面部には、そのフロントフェンダー２０への荷重を支持するフェンダー支持フレーム３８が配設されている。該支持フレーム３８は、フロントフレーム３２とメインフレーム３４とに溶接固定される。すなわち、図２、図３に示すように、前記支持フレーム３８は、前部３８ａ、中央部３８ｂおよび後部３８ｃからなる。そして、その支持フレーム３８の前端部３８ａ１がフロントフレーム３２の側面部に溶接固定されて前部３８ａが上方に延びかつ前記フェンダー２０と接する位置からフロントフェンダー２０の下面部に沿って後方に延びる。さらに中央部３８ｂで左右方向外側に向けて曲がって前記フェンダー２０の外側端部に至り、後部３８ｃはその外側端部付近からやや内側に向けて曲がって、後端部３８ｃ１がメインフレーム３４の肩部３４ａに溶接固定される。
【００２３】
ここで、図２に示すように、前記フェンダー支持フレーム３８は側面視で全体が下開きのＣの字形状を呈しており、その上部が側面視で前記フェンダー２０の裏面に沿っている。また、前記支持フレームの前部３８ａの上部途中には、フロントサスペンションのクッションユニットの支持部４０が形成される。また、前記支持フレーム中央部３８ｂから後部３８ｃにかけては平面視でＬの字形状を呈して曲がり、前記フェンダー２０上面の足乗せ面部２０ｆに広く対応する形状に形成されている。
【００２４】
また、メインフレーム３４は、ハンドル１６の下方部であって、フロア２２下面部において車体幅にほぼ沿って左右に広がり、後端部にはさらにリアフレーム３６が固定されて後方に延びる。メインフレーム３４のＵの字形状で挟まれる部分であってフロア２２の下方に位置する部分には、底板３４ｂが溶接固定される。
【００２５】
前記のように前輪１０，１０のフロントフェンダー２０表面部に足乗せ面部２０ｆを設け、フロントフェンダー２０の足乗せ面部２０ｆに対応する裏面部に荷重支持用のフェンダー支持フレーム３８を設けたので、前記フロントフェンダー２０の支持剛性が上がる。したがって、乗員が足を乗せて体重をかけてもフロントフェンダー２０は剛性感よく支持するので、乗車している乗員は安心感を持ちかつ不意の荷重が前記フェンダー２０に加わっても変形などしなくなる。
【００２６】
また、図３で平面視するように車体ほぼ中央部であってフロントボディＡの後部のフロア２２がある。そして、フロントボディＡにおいてフロア２２を有する車体中央部は、側縁部が車体前後に比較して抉り込まれるように凹んでいる（凹部４２が形成される）。
【００２７】
すなわち、前輪１０，１０付近のフロントフェンダー２０，２０の側縁部が前輪側車体最大幅Ｔｆに部分になり、また、後輪１２，１２付近リアフェンダー２８，２８の側縁部が後輪側車体最大幅Ｔｒになっており、車体中央部幅Ｔｃは、これらの前輪側車体最大幅Ｔｆおよび後輪側車体最大幅Ｔｒのいずれよりも幅が狭くなっている（Ｔｃ＜Ｔｆ，Ｔｃ＜Ｔｒ）。
【００２８】
したがって、前輪側車体最大幅Ｔｆおよび後輪側車体最大幅Ｔｒよりも車体中央部幅Ｔｃが狭いので、車体側面には、平面視で凹部４２があり、乗員が乗り降りするに際して、地面に着く足の位置をシート１４に近づけることができる。つまり、乗車するときに足を地面に着いたままで腰掛け易く、下車するときには足着き性が良くなる。
【００２９】
また、前輪側車体最大幅Ｔｆが後輪側車体最大幅Ｔｒよりも狭くなっている
（Ｔｆ＜Ｔｒ）ので、バッテリーやモータなどの搭載される車体後部のリアボディＢを車体前部のフロントボディＡよりも大きくできる。
【００３０】
さらに、車体中央部の最も幅の狭い部分の幅Ｔｃは、前記シート１４の幅Ｔｓとほぼ一致する（Ｔｓ≒Ｔｃ）。したがって、乗員が電動四輪車に乗車した状態で足を揃えると丁度フロア２２に足を載せることができる。すなわち、これ以上シート１４幅を狭くすると足をフロア２２に置きにくくまたこれより広いと足つき性が悪くなるので、前記幅の狭い部分の幅Ｔｃはシート幅Ｔｓとほぼ一致するのが好適である。
【００３１】
なお、本発明の電動四輪車の他の実施形態を図４に示す。図１〜図３と同様部分には同一符号を付している。
【００３２】
図４の電動四輪車は、前記図１〜図３に示したものと同様の電動四輪車に、さらにゴルフバッグなどの荷物を積載するゴルフキャリアー４４を車体後部に後方に突出して設けたものである。このゴルフキャリアー４４は下部板部４４ａと上部包持部４４ｂとがパイプからなるフレーム体４４ｃからなるものである。このキャリアー４４の車体への取付け構造においては、リアフレーム３６を延長して左右のバックステー４６を繋いで下部取付けフレーム４８を取り付ける。リアフレーム３６上部に側面視三角形形状のキャリアーサポート５０を固定する。このサポート５０から上部に向けてリアボディＢのカバーを突き抜けてパイプ状のサポート５２が立設する。
【００３３】
前記キャリアー４４はその下部がバックステー４６に締着され、また、その上部から出る上部取付けフレーム４４ｄが前記サポート５２の上部に嵌入して、車体にキャリアー４４が取り付けられる。
【図面の簡単な説明】
【００３４】
【図１】本発明の一実施形態に係る電動四輪車の車体構造の全体説明図である。
【図２】図１の電動四輪車の側面図である。
【図３】図１の電動四輪車の平面図である。
【図４】電動四輪車の他の実施形態の側面図である。
【図５】従来の電動四輪車の構造説明斜視図である
【図６】図５の電動四輪車の平面図である。
【符号の説明】
【００３５】
１０，１０  前輪
１２，１２  後輪
１４  シート
２０，２０  フロントフェンダー
２２  フロア
３２  フロントフレーム
３４  メインフレーム
３８  フェンダー支持フレーム
【図１】
2005088892.tif 000003
【図２】
2005088892.tif 000004
【図３】
2005088892.tif 000005
【図４】
2005088892.tif 000006
【図５】
2005088892.tif 000007
【図６】
2005088892.tif 000008
【手続補正書】
【提出日】平成16年12月27日(2004.12.27)
【手続補正１】
【補正対象書類名】特許請求の範囲
【補正対象項目名】全文
【補正方法】変更
【補正の内容】
【特許請求の範囲】
【請求項１】
前輪および後輪がともに左右一対で、車体後部の後輪側車体には乗員が一人で着座する単座シートが設けられ、この単座シートの前端部と車体前部の前輪側車体との間の車体中央部に乗員が足を載せる平坦な足載せフロアを備えた電動四輪車において、
前記足載せフロアが設けられた車体中央部は、最も幅の狭い部分を、単座シートの前端部の幅と略一致する幅に形成するとともに、前記前方の前輪側車体の最大幅よりも狭く形成し、
前記前輪側車体の左右側部には、左右一対の前輪と、これら前輪をそれぞれ覆うフロントフェンダーが配設され、
これらフロントフェンダーは、前記足載せフロアよりも上方に突出して、足載せフロアと一体的に連なるように形成し、後部の表面部に足乗せ部を設けるとともにフェンダー支持フレームで支持され、
前記フェンダー支持フレームは、前端部を左右前輪の間に配設されたフロントフレームに溶接固定し、フロントフェンダーの前後方向中央部から左右方向外側のフロントフェンダー後外側端部に向けて曲がり、後端部を前記足載せフロア下面部に車体幅方向に沿って設けられたメインフレームに溶接固定され、前記フロントフェンダーとともに表面部に設けられた足乗せ部を支持することを特徴とする電動四輪車の車体構造。
【請求項２】
前記フェンダー支持フレームは、前記車体中央部に設けられた足載せフロアよりも車体幅方向に広く形成された前輪側車体のフロントフェンダーの左右方向外側端部に至るように後外側に向けて延び、後部を前記フロントフェンダーの左右方向外側端部付近から左右方向内側に向けて曲げて平面視Ｌの字形状に形成し、後端部を前記足載せフロア下面部に車体幅方向に沿って設けられたメインフレームに溶接固定して設けたことを特徴とする請求項１に記載の電動四輪車の車体構造。
【請求項３】
前記フェンダー支持フレームは、側面視で全体に下開きのＣの字形状で、前上部にフロントサスペンションのクッションユニット支持部が形成されていることを特徴とする請求項１に記載の電動四輪車の車体構造。
【請求項４】
前記フェンダー支持フレームは、平面視において直進状態の前輪を避けてフロントフェンダーの前後方向中央部から後外側端部へ斜め後ろ方向に延びて前記足乗せ部に対応する支持部を形成したことを特徴とする請求項１または２に記載の電動四輪車の車体構造。
【手続補正２】
【補正対象書類名】明細書
【補正対象項目名】００１１
【補正方法】変更
【補正の内容】
【００１１】
請求項３の発明は、前記フェンダー支持フレームが、側面視で全体に下開きのＣの字形状で、前上部にフロントサスペンションのクッションユニット支持部が形成されていることを特徴とする請求項１に記載の電動四輪車の車体構造である。
請求項４の発明は、前記フェンダー支持フレームが、平面視において直進状態の前輪を避けてフロントフェンダーの前後方向中央部から後外側端部へ斜め後ろ方向に延びて前記足乗せ部に対応する支持部を形成したことを特徴とする請求項１または２に記載の電動四輪車の車体構造である。